(57)【要約】【課題】ガスケット５０の形状や大きさの影響を少なくして形成することができ、固定部１３を固定具３０２で目地底３０１に固定しやすい形状にベース材１０を形成することができ、施工しやすい目地部材１００を提供する。【解決手段】隣り合うパネル２００の間の目地３００に設けられる目地部材１００である。目地３００に固定可能なベース材１０と、ベース材１０に取り付け可能なカバー材３０と、カバー材３０に取り付け可能なガスケット５０とを備えている。ベース材１０は、カバー材３０が取り付けられていない状態で目地３００の目地底３０１に固定具３０２により固定可能な固定部１３を有している。【選択図】図１
2019183412.tif 000002
【特許請求の範囲】
【請求項１】
隣り合うパネルの間の目地に設けられる目地部材であって、
前記目地に固定可能なベース材と、前記ベース材に取り付け可能なカバー材と、前記カバー材に取り付け可能なガスケットとを備え、
前記ベース材は、前記カバー材が取り付けられていない状態で前記目地の目地底に固定具により固定可能な固定部を有している
目地部材。
【請求項２】
請求項１において、
前記ベース材は、対向する複数の挟持片を有し、
前記カバー材は、前記対向する複数の挟持片で挟まれて前記ベース材に取り付け可能に形成され、
前記固定部は、前記対向する複数の挟持片の間から差し込まれた前記固定具が貫通可能な位置に形成されている
目地部材。
【請求項３】
請求項２において、
前記カバー材は、前記挟持片に引っ掛け可能な引掛け部を有している
目地部材。
【請求項４】
請求項２又は３において、
前記カバー材は、前記対向する複数の挟持片の間隙を覆って前記ベース材に取り付け可能に形成されている
目地部材。
【請求項５】
請求項１乃至４のいずれか一項において、
前記カバー材は、突出部を有し、
前記ガスケットは、前記突出部が差し込み可能な嵌合溝を有している
目地部材。
【請求項６】
請求項１乃至５のいずれか一項に記載の目地部材を備えた目地構造であって、
前記ベース材は、前記固定部が前記固定具により前記目地底に固定されており、
前記カバー材は、前記ベース材に取り付けられており、
前記ガスケットは、前記カバー材に取り付けられている
目地構造。
【請求項７】
請求項６に記載の目地構造において、
前記パネルの側端部には目地底片が設けられ、
前記隣り合うパネルのそれぞれに設けた目地底片が重なって、前記目地底が形成され、
前記各目地底片には、その先端を覆うようにして防水材が設けられている
目地構造。
【発明の詳細な説明】
【技術分野】
【０００１】
本発明は、目地部材及び目地構造に関する。詳しくは、外壁材などの建材を複数並べて施工する場合に、隣り合う建材の間の目地に取り付けられる目地部材、及びこの目地部材を目地に取り付けた目地構造に関する。
【背景技術】
【０００２】
従来、外壁の防水性向上を目的として、目地に目地部材を設けることが行われている。例えば、特許文献１では、保持部材とガスケットを備えた目地部材が記載されている。保持部材はアルミニウムの押出成形品などであって、断面略コ字状に形成されている。ガスケットはエチレンプロピレンゴム（ＥＰＤＭ）の押出成形品などであって、その背面には係合部が突設されている。そして、保持部材はその底部が外壁材の側端に突出した支持片にビス止めにより固定されている。ガスケットは保持部材に保持されている。この場合、ガスケットの係合部を保持部材の一対の側壁の間に弾性的に係合している。
【先行技術文献】
【特許文献】
【０００３】
【特許文献１】特開２０１４−１０１６９７号公報
【発明の概要】
【発明が解決しようとする課題】
【０００４】
しかし、上記の目地部材では、一対の側壁の間からビスをねじ込んでその底部を支持片に固定しているため、一対の側壁の間隔が狭くてビスをねじ込みにくく、施工しにくいという問題があった。特に、上記目地部材では、一対の側壁でガスケットの係合部を挟持しているため、一対の側壁の間隔を係合部の大きさに影響されないで設定することは難しかった。
【０００５】
本発明は上記の点に鑑みてなされたものであり、施工しやすい目地部材及びこれを用いた目地構造を提供することを目的とする。
【課題を解決するための手段】
【０００６】
本発明に係る目地部材は、隣り合うパネルの間の目地に設けられる目地部材である。前記目地に固定可能なベース材と、前記ベース材に取り付け可能なカバー材と、前記カバー材に取り付け可能なガスケットとを備えている。前記ベース材は、前記カバー材が取り付けられていない状態で前記目地の目地底に固定具により固定可能な固定部を有している。
【０００７】
本発明に係る目地構造は、前記目地部材を備えた目地構造である。前記ベース材は、前記固定部が前記固定具により前記目地底に固定されている。前記カバー材は、前記ベース材に取り付けられている。前記ガスケットは、前記カバー材に取り付けられている。
【発明の効果】
【０００８】
本発明では、ベース材はガスケットが直接取り付けられるものではないため、ガスケットの形状や大きさの影響を少なくして形成することができる。従って、固定部を固定具で目地底に固定しやすい形状にベース材を形成することができ、施工しやすい目地部材を提供することができる。
【図面の簡単な説明】
【０００９】
【図１】図１は、本発明の一実施の形態で使用するベース材を示す一部省略した斜視図である。
【図２】図２は、本発明の一実施の形態で使用するカバー材を示す一部省略した斜視図である。
【図３】図３は、本発明の一実施の形態で使用するガスケットを示す一部省略した斜視図である。
【図４】図４Ａは、本発明の一実施の形態で使用するパネルを示す一部省略した斜視図である。図４Ｂは、本発明の一実施の形態で使用するパネルを示す一部省略した断面図である。
【図５】図５は、本発明の一実施の形態で使用するベース材を取り付けた状態を示す断面図である。
【図６】図６は、本発明の一実施の形態で使用するベース材及びカバー材を取り付けた状態を示す断面図である。
【図７】図７は、本発明の目地構造に係る一実施の形態を示す断面図である。
【発明を実施するための形態】
【００１０】
以下、本発明を実施するための形態を説明する。
【００１１】
＜目地部材＞
本実施形態の目地部材１００は、ベース材１０と、カバー材３０と、ガスケット５０とを備えている。図１〜７において、矢印Ｘは水平方向であり、目地部材１００、ベース材１０、カバー材３０、及びガスケット５０の短手方向でもある。矢印Ｙは後方向であり、目地部材１００、ベース材１０、カバー材３０、及びガスケット５０の後方向を示し、矢印Ｙと反対方向が前方向である。また矢印Ｚは、矢印Ｘ及び矢印Ｙと直交する方向で、鉛直下向き方向であり、目地部材１００、ベース材１０、カバー材３０、及びガスケット５０の長手方向でもある。
【００１２】
図１は、ベース材１０の斜視図を示している。ベース材１０はアルミニウムの押出成形品などであって、長尺に形成されている。ベース材１０は一定の断面形状を有しており、固定片１１と一対の挟持片１２とを備えて断面コ字状に形成されている。
【００１３】
固定片１１は平板状に形成されている。また固定片１１の短手方向の略中央部には固定部１３が設けられている。固定部１３は固定片１１の他の部分よりも厚く形成され、固定片１１の前方へ突出するように形成されている。また固定部１３の短手方向の略中央部にはＶ字状の溝部１４が設けられている。
【００１４】
挟持片１２は平板状に形成されている。また挟持片１２は、固定片１１の短手方向の端部に一つずつ設けられている。挟持片１２は固定片１１の端部から略垂直に前方へ突出している。従って、一対の挟持片１２は互いに対向している。また一対の挟持片１２の間に固定部１３が位置している。各挟持片１２の先端には係止部１５が設けられている。各係止部１５はベース材１０の内方に向かって突出している。
【００１５】
図２は、カバー材３０の斜視図を示している。カバー材３０はアルミニウムの押出成形品などであって、ベース材１０と同様に、長尺に形成されている。カバー材３０は一定の断面形状を有しており、カバー部３１、引掛け部３２、突出部３３を備えて形成されている。
【００１６】
カバー部３１は弾性部３４と一対の側片部３５とを備えている。弾性部３４は、カバー部３１の短手方向の略中央部に形成されている。側片部３５は弾性部３４の短手方向の各端部から外側に突出して形成されている。弾性部３４は一対の側片部３５よりも後方に突出して形成されている。
【００１７】
引掛け部３２は各側片部３５に一つずつ設けられている。各引掛け部３２は各側片部３５の後面から後方に突出して形成されている。各引掛け部３２には短手方向の外方（側方）に突出する突起部３６が設けられている。一対の引掛け部３２は互いに対向している。
【００１８】
突出部３３は弾性部３４と側片部３５の境界付近に一つずつ設けられている。各突出部３３は前方に突出して形成されている。各突出部３３の先端には嵌合凸部３７が設けられている。嵌合凸部３７は突出部３３の短手方向の両側に突出している。一対の突出部３３は互いに対向している。
【００１９】
図３は、ガスケット５０の斜視図を示している。ガスケット５０はＥＰＤＭやゴムなどの弾性体の押出成形品などであって、長尺に形成されている。ガスケット５０は一定の断面形状を有しており、基板部５１、第一防水片５２、第二防水片５３を備えて形成されている。
【００２０】
基板部５１は前面及び両側面が平坦面に形成され、一対の嵌合溝５４が後面に開口して設けられている。一対の嵌合溝５４は短手方向に並んで形成されており、長手方向に互いに平行に形成されている。各嵌合溝５４の一方の開口縁部には第一係止部５５が形成され、他方の開口縁部には第二係止部５６が形成されている。第一係止部５５は第二係止部５６よりも突出寸法が大きく形成されている。
【００２１】
第一防水片５２は基板部５１の一方の側面前部と他方の側面前部とに設けられている。各第一防水片５２は基板部５１の側面前部から短手方向に突出している。第二防水片５３は基板部５１の一方の側面後部と他方の側面後部とに設けられている。各第二防水片５３は基板部５１の側面後部から短手方向に突出している。第二防水片５３は第一防水片５２よりも突出寸法が大きく形成されている。
【００２２】
＜目地構造＞
本実施形態の目地構造は外壁等に形成されるものであり、隣り合うパネルの間の目地に上記の目地部材１００を配置することにより形成される。
【００２３】
パネル２００は外壁パネルであって、例えば、図４Ａ及び図４Ｂに示すように、金属サンドイッチパネルを使用することができる。この場合、パネル２００は表裏二枚の金属外皮２０１の間に芯材２０２を設けて形成することができる。金属外皮２０１としてはガルバリウム鋼板（登録商標）、エスジーエル（登録商標）鋼板などの鋼板を例示することができ、芯材２０２はロックウールなどの断熱材２０５と石膏ボードなどの耐火材２０６との複合材料である。
【００２４】
パネル２００の両方の側端部には箱折り部２１０が設けられている。箱折り部２１０は、表面側の金属外皮２０１に形成されており、パネル２００の表面を構成する平面部２０３の側端部から後方に向かって略垂直に折れ曲がった目地側片２１１と、目地側片２１１の後端部から側方に向かって略垂直に折れ曲がった目地底片２１２とを有して形成されている。箱折り部２１０はパネル２００に上下方向の略全長にわたって設けられている。また箱折り部２１０にはシーリングテープなどの防水材２１３が設けられている。防水材２１３は目地底片２１２の前面と先端面と後面の一部とを覆うように折り曲げられて貼り付けられている。
【００２５】
そして、目地３００は、二枚のパネル２００を水平方向で隣接させることによって形成される。この場合、一方のパネル２００の目地底片２１２と他方のパネル２００の目地底片２１２とが防水材２１３を介して前後に重ねられ、目地底片２１２と防水材２１３とで目地３００の目地底３０１が形成される。また一方のパネル２００の目地側片２１１と他方のパネル２００の目地側片２１１とが対向して配置され、これら目地側片２１１の間で目地底３０１の前側の空間が目地３００として形成される。
【００２６】
目地３００に目地部材１００を取り付けるにあたっては、次のようにして行う。
【００２７】
まず、図５に示すように、ベース材１０が目地３００に設けられる。ベース材１０は、カバー材３０が取り付けられていない状態で、目地底３０１にビスなどの固定具３０２で固定される。この場合、目地３００に前側開口からベース材１０を差し込み、固定片１１の後面を目地底３０１の表面の防水材２１３に接触した状態にし、一対の挟持片１２の間に固定具３０２を差し込み、この固定具３０２を溝部１４にねじ込んで固定部１３を貫通させる。
【００２８】
次に、図６に示すように、目地３００に取り付けたベース材１０にカバー材３０を取り付ける。この場合、カバー材３０を前方からベース材１０に近づけていき、一対の引掛け部３２が一対の挟持片１２の間に嵌め込むようにする。各引掛け部３２に設けた突起部３６は挟持片１２の係止部１５に引っ掛けられる。このとき、ベース材１０の方がカバー材３０よりも変形しやすいので、係止部１５に対して引掛け部３２が嵌めやすい。またカバー部３１はベース材１０の前面開口を覆うように配置される。またカバー部３１の前側に一対の突出部３３が突出した状態となっている。
【００２９】
次に、図７に示すように、ベース材１０に取り付けたカバー材３０にガスケット５０を取り付ける。この場合、ガスケット５０を前方からカバー材３０に近づけていき、一対の突出部３３の嵌合凸部３７のそれぞれに嵌合溝５４を一つずつ嵌め込んでいく。このとき、ガスケット５０を目地３００に押し込んでいく。嵌合溝５４に嵌め込まれた嵌合凸部３７には第一係止部５５及び第二係止部５６が引っ掛かってガスケット５０がカバー材３０から脱落しにくくなる。また、ガスケット５０の第一防水片５２及び第二防水片５３が目地側片２１１に弾性変形しながら接触する。このようにして、目地３００の上下方向の全長にわった目地部材１００を設けることができる。
【００３０】
本実施形態は、以下の特徴を有する。
【００３１】
第一の態様の目地部材１００は、隣り合うパネル２００の間の目地３００に設けられる目地部材１００である。目地３００に固定可能なベース材１０と、ベース材１０に取り付け可能なカバー材３０と、カバー材３０に取り付け可能なガスケット５０とを備えている。ベース材１０は、カバー材３０が取り付けられていない状態で目地３００の目地底３０１に固定具３０２により固定可能な固定部１３を有している。
【００３２】
この場合、ベース材１０はガスケット５０が直接取り付けられるものではないため、ガスケット５０の形状や大きさの影響を少なくして形成することができ、固定部１３を固定具３０２で目地底３０１に固定しやすい形状にベース材１０を形成することができ、施工しやすい目地部材１００を提供することができる。
【００３３】
第二の態様の目地部材１００は、第一の態様において、ベース材１０は、対向する複数の挟持片１２を有している。カバー材３０は、対向する複数の挟持片１２で挟まれてベース材１０に取り付け可能に形成されている。固定部１３は、対向する複数の挟持片１２の間から差し込まれた固定具３０２が貫通可能な位置に形成されている。
【００３４】
この場合、対向する複数の挟持片１２の間から固定具３０２を貫通させて固定部１３を固定することができ、ベース材１０の取り付けが行いやすい。
【００３５】
第三の態様は、第一又は第二の態様において、カバー材３０は、挟持片１２に引っ掛け可能な引掛け部３２を有している。
【００３６】
この場合、カバー材３０をベース材１０に引っ掛けにより取り付けることができ、カバー材３０の取り付けが行いやすい。
【００３７】
第四の態様は、第二又は第三の態様において、カバー材３０は、対向する複数の挟持片１２の間隙を覆ってベース材１０に取り付け可能に形成されている。
【００３８】
この場合、カバー材３０をベース材１０に取り付けた場合に、ベース材１０の間隙から雨水が浸入しにくくなり、防水性が向上する。
【００３９】
第五の態様は、第一乃至第四のいずれか一つにおいて、カバー材３０は、突出部３３を有している。ガスケット５０は、突出部３３が差し込み可能な嵌合溝５４を有している。
【００４０】
この場合、突出部３３を嵌合溝５４に差し込んでガスケット５０をカバー材３０に取り付けることができ、ガスケット５０の取り付けが行いやすい。
【００４１】
第六の態様は、第一乃至第五の態様の目地部材１００を備えた目地構造である。ベース材１０は、固定部１３が固定具３０２により目地底３０１に固定されている。カバー材３０は、ベース材１０に取り付けられている。ガスケット５０は、カバー材３０に取り付けられている。
【００４２】
この場合、ベース材１０はガスケット５０が直接取り付けられるものではないため、ガスケット５０の形状や大きさの影響を少なくして形成することができ、固定部１３を固定具３０２で目地底３０１に固定しやすい形状にベース材１０を形成することができ、施工しやすい。
【００４３】
第七の態様は、第六の態様において、パネル２００の側端部には目地底片２１２が設けられている。隣り合うパネル２００のそれぞれに設けた目地底片２１２が重なって、目地底３０１が形成されている。各目地底片２１２には、その先端を覆うようにして防水材２１３が設けられている。
【００４４】
この場合、目地底３０１は、目地底片２１２と防水材２１３が密着した状態で形成され、目地３００の防水性を向上させることができる。
【符号の説明】
【００４５】
１０  ベース材
１２  挟持片
１３  固定部
３０  カバー材
３２  引掛け部
３３  突出部
５０  ガスケット
５４  嵌合溝
１００  目地部材
２００  パネル
２１２  目地底片
２１３  防水材
３００  目地
３０１  目地底
３０２  固定具
【図１】
2019183412.tif 000003
【図２】
2019183412.tif 000004
【図３】
2019183412.tif 000005
【図４】
2019183412.tif 000006
【図５】
2019183412.tif 000007
【図６】
2019183412.tif 000008
【図７】
2019183412.tif 000009